(57)【要約】【課題】エコーキャンセラを設けることなく、受話音声の頭切れを回避することができるハンズフリー装置、ハンズフリー通話制御方法及びプログラムを提供する。【解決手段】本発明によれば、受話音声検出部が音声有りから音声無しに変化後に、所定時間、音声有りと音声無しの検出信号を交互に繰り返し出力する（Ａ７）。そのため、受話音声が音声有りから音声無しに変化したとき、送受話の判定結果が一瞬送話モードに移行するが、受話音声検出結果として一定時間、音声有りと音声無しの検出信号を交互に繰り返し出力するため、本来の動作モードである受話モードに復帰する（Ａ１３）。その結果、エコーの影響により受話音声を発声後に送話モードに移行せずに受話モードを保持することにより、受話音声の頭切れを回避できる。【選択図】図３
2004088369.tif 000002
【特許請求の範囲】
【請求項１】
電話機と接続されるコネクタ部と、音声入力部と、音声出力部とを有し、前記音声入力部から入力された送話信号を前記コネクタ部を介して前記電話機に出力し、前記電話機からコネクタ部を介して入力された受話信号を前記音声出力部から出力するハンズフリー装置において、
前記音声入力部からの送話信号に基づいて送話音声の有無を検出する送話音声検出部と、
前記電話機からコネクタ部を介して入力された受話信号に基づいて受話音声の有無を検出する受話音声検出部と、
前記音声入力部とコネクタ部との間に設けられ、受話モード時に前記送話信号のレベルを減衰させる送話アッテネータと、
前記音声出力部とコネクタ部との間に設けられ、送話モード時に前記受話信号のレベルを減衰させる受話アッテネータと、
前記送話音声検出部及び受話音声検出部からの検出信号に基づいて、送話モード及び受話モードを判定し、送話アッテネータ及び受話アッテネータの動作を制御する制御部と、を有し、
前記制御部は、前記送話音声検出部により音声有りと検出され、かつ、受話音声検出部により音声無しと検出された場合、送話モードと判定し、前記受話アッテネータを動作させ、前記送話音声検出部により音声無しと検出され、かつ、受話音声検出部により音声有りと検出された場合、受話モードと判定し、前記送話アッテネータを動作させ、送話音声検出部及び受話音声検出部により共に音声無し又は音声有りと検出された場合、前モードを保持し、
前記受話音声検出部は、音声有りから音声無しへの変化を検出した場合、音声有りと音声無しの検出信号を、所定時間交互に繰り返して出力する、
ことを特徴とするハンズフリー装置。
【請求項２】
前記受話音声検出部が音声有りと音声無しの検出信号を交互に繰り返して出力する時間は、前記音声出力部から出力され前記音声入力部に入力されるエコーが発生する時間を考慮して設定されていることを特徴とする請求項１に記載のハンズフリー装置。
【請求項３】
前記送話アッテネータは、受話モードから送話モードに変化する時、送話信号のレベルの減衰量を徐々に減少させ、送話モードから受話モードに変化する時、送話信号のレベルの減衰量を徐々に上昇させ、
前記受話アッテネータは、受話モードから送話モードに変化する時、受話信号のレベルの減衰量を徐々に上昇させ、送話モードから受話モードに変化する時、送話信号のレベルの減衰量を徐々に減少させる、
ことを特徴とする請求項１又は２に記載のハンズフリー装置。
【請求項４】
電話機と接続されるコネクタ部と、音声入力部と、音声出力部と、送話音声検出部と、受話音声検出部と、前記音声入力部とコネクタ部との間に設けられた送話アッテネータと、前記音声出力部とコネクタ部との間に設けられた受話アッテネータとを有し、前記音声入力部から入力された送話信号を前記コネクタ部を介して前記電話機に出力し、前記電話機からコネクタ部を介して入力された受話信号を前記音声出力部から出力するハンズフリー装置によるハンズフリー通話制御方法において、
前記送話音声検出部により前記音声入力部からの送話信号に基づいて送話音声の有無を検出するステップと、
前記受話音声検出部により前記電話機からコネクタ部を介して入力された受話信号に基づいて受話音声の有無を検出するステップと、
前記送話アッテネータにより受話モード時に前記送話信号のレベルを減衰させるステップと、
前記受話アッテネータにより送話モード時に前記受話信号のレベルを減衰させるステップと、
前記送話音声検出部により音声有りと検出され、かつ、受話音声検出部により音声無しと検出された場合、送話モードと判定し、前記受話アッテネータを動作させ、前記送話音声検出部により音声無しと検出され、かつ、受話音声検出部により音声有りと検出された場合、受話モードと判定し、前記送話アッテネータを動作させ、送話音声検出部及び受話音声検出部により共に音声無し又は音声有りと検出された場合、前モードを保持するステップと、
前記受話音声検出部により、音声有りから音声無しへの変化を検出した場合、音声有りと音声無しの検出信号を、所定時間交互に繰り返して出力するステップと、
を有することを特徴とするハンズフリー通話制御方法。
【請求項５】
前記受話音声検出部が音声有りと音声無しの検出信号を交互に繰り返して出力する時間は、前記音声出力部から出力され前記音声入力部に入力されるエコーが発生する時間を考慮して設定されていることを特徴とする請求項４に記載のハンズフリー通話制御方法。
【請求項６】
前記送話アッテネータにより、受話モードから送話モードに変化する時、送話信号のレベルの減衰量を徐々に減少させ、送話モードから受話モードに変化する時、送話信号のレベルの減衰量を徐々に上昇させ、
前記受話アッテネータにより、受話モードから送話モードに変化する時、受話信号のレベルの減衰量を徐々に上昇させ、送話モードから受話モードに変化する時、送話信号のレベルの減衰量を徐々に減少させる、
ことを特徴とする請求項４又は５に記載のハンズフリー通話制御方法。
【請求項７】
電話機と接続されるコネクタ部と、音声入力部と、音声出力部と、送話音声検出部と、受話音声検出部と、前記音声入力部とコネクタ部との間に設けられた送話アッテネータと、前記音声出力部とコネクタ部との間に設けられた受話アッテネータとを有し、前記音声入力部から入力された送話信号を前記コネクタ部を介して前記電話機に出力し、前記電話機からコネクタ部を介して入力された受話信号を前記音声出力部から出力するハンズフリー装置を制御するプログラムにおいて、
前記送話音声検出部により前記音声入力部からの送話信号に基づいて送話音声の有無を検出する処理と、
前記受話音声検出部により前記電話機からコネクタ部を介して入力された受話信号に基づいて受話音声の有無を検出する処理と、
前記送話アッテネータにより受話モード時に前記送話信号のレベルを減衰させる処理と、
前記受話アッテネータにより送話モード時に前記受話信号のレベルを減衰させる処理と、
前記送話音声検出部により音声有りと検出され、かつ、受話音声検出部により音声無しと検出された場合、送話モードと判定し、前記受話アッテネータを動作させ、前記送話音声検出部により音声無しと検出され、かつ、受話音声検出部により音声有りと検出された場合、受話モードと判定し、前記送話アッテネータを動作させ、送話音声検出部及び受話音声検出部により共に音声無し又は音声有りと検出された場合、前モードを保持する処理と、
前記受話音声検出部により、音声有りから音声無しへの変化を検出した場合、音声有りと音声無しの検出信号を、所定時間交互に繰り返して出力する処理と、
をコンピュータに実行させることを特徴とするプログラム。
【請求項８】
前記受話音声検出部が音声有りと音声無しの検出信号を交互に繰り返して出力する時間は、前記音声出力部から出力され前記音声入力部に入力されるエコーが発生する時間を考慮して設定されていることを特徴とする請求項７に記載のプログラム。
【請求項９】
前記送話アッテネータにより、受話モードから送話モードに変化する時、送話信号のレベルの減衰量を徐々に減少させ、送話モードから受話モードに変化する時、送話信号のレベルの減衰量を徐々に上昇させ、
前記受話アッテネータにより、受話モードから送話モードに変化する時、受話信号のレベルの減衰量を徐々に上昇させ、送話モードから受話モードに変化する時、送話信号のレベルの減衰量を徐々に減少させる、
ことを特徴とする請求項７又は８に記載のプログラム。
【発明の詳細な説明】
【０００１】
【発明の属する技術分野】
本発明は、ハンズフリー装置、ハンズフリー通話制御方法及びプログラムに関し、特に、受話音声の頭切れを回避することができるハンズフリー装置、ハンズフリー通話制御方法及びプログラムに関する。
【０００２】
【従来の技術】
近年、携帯電話機の普及に伴い、車内等で携帯電話機を手にとることなく、通話可能とするハンズフリー装置が開発されている。
【０００３】
図５は、従来のハンズフリー装置の動作を説明するための信号の波形図で有り、（Ａ）は受話信号、（Ｂ）は送話信号、（Ｃ）は受話音声検出信号、（Ｄ）は送話音声検出信号、（Ｅ）は送受話モードの判定による制御信号を示す。
【０００４】
まず、受話信号が入力されると（Ｂ１）、受話音声検出処理で、音声有りと検出され（Ｂ２）、受話信号がスピーカより出力される。また、マイクから送話信号が入力されると（Ｂ３）、送話音声検出処理で、音声有りと検出される（Ｂ４）。、
スピーカから受話信号が出力されることにより、エコーとして送話信号がマイクに入力される（Ｂ５）。送話音声検出処理では、エコー信号に対して音声有りと検出される（Ｂ６）。
【０００５】
送受話モードの判定処理では、受話信号の入力に対して受話音声有りと検出されるため、受話モードＬに移行（Ｂ７）するが、受話音声が音声有りから音声無しに変化後に、使用者がマイクに発声していないにも係わらず、エコーの入力により送話モードＨに移行する（Ｂ８）。以下、この技術を従来例１という。
【０００６】
また、特開平６−２１６８１１号公報には、ハンズフリー通話用のスピーカからマイクに回り込んだ音響エコー成分を打ち消すためのエコーキャンセラを備え、上記エコーキャンセラ内の受話信号入力部に振幅制限器を設け、この振幅制限器により受話信号の振幅レベルを所定レベル以下に制限するようにした音声通話装置が提案されている。この従来の音声通話装置によれば、信号レベルの大きい受話音声信号が入力されても受話音声に歪みが発生しないようにして、エコーキャンセラで音響エコーを常に十分にキャンセルできるようにし、これにより通話品質のより一層の向上を図ることができる、としている。以下、この技術を従来例２という。
【０００７】
【発明が解決しようとする課題】
従来例１では、エコーの入力により送話モードＨに移行した後（Ｂ８）、受話音声の入力が行われると、受話音声有りを検出して受話モードに移行する（Ｂ９）。しかし、受話のアッテネータでは徐々にモードが切り替わるため、受話音声の頭切れが発生するという課題がある。
【０００８】
従来例２では、エコーキャンセラを新たに設ける必要があるため、部品点数が多くなり構成が複雑になり製造コストがかかる。また、すべてのエコーをキャンセルすることは実際には困難である。
【０００９】
本発明は、上記課題を解決するためになされたもので有り、エコーキャンセラを設けることなく、受話音声の頭切れを回避することができるハンズフリー装置、ハンズフリー通話制御方法及びプログラムを提供することを目的とする。
【００１０】
【課題を解決するための手段】
本発明のハンズフリー装置は、電話機と接続されるコネクタ部と、音声入力部と、音声出力部とを有し、前記音声入力部から入力された送話信号を前記コネクタ部を介して前記電話機に出力し、前記電話機からコネクタ部を介して入力された受話信号を前記音声出力部から出力するハンズフリー装置において、
前記音声入力部からの送話信号に基づいて送話音声の有無を検出する送話音声検出部と、
前記電話機からコネクタ部を介して入力された受話信号に基づいて受話音声の有無を検出する受話音声検出部と、
前記音声入力部とコネクタ部との間に設けられ、受話モード時に前記送話信号のレベルを減衰させる送話アッテネータと、
前記音声出力部とコネクタ部との間に設けられ、送話モード時に前記受話信号のレベルを減衰させる受話アッテネータと、
前記送話音声検出部及び受話音声検出部からの検出信号に基づいて、送話モード及び受話モードを判定し、送話アッテネータ及び受話アッテネータの動作を制御する制御部と、を有し、
前記制御部は、前記送話音声検出部により音声有りと検出され、かつ、受話音声検出部により音声無しと検出された場合、送話モードと判定し、前記受話アッテネータを動作させ、前記送話音声検出部により音声無しと検出され、かつ、受話音声検出部により音声有りと検出された場合、受話モードと判定し、前記送話アッテネータを動作させ、送話音声検出部及び受話音声検出部により共に音声無し又は音声有りと検出された場合、前モードを保持し、
前記受話音声検出部は、音声有りから音声無しへの変化を検出した場合、音声有りと音声無しの検出信号を、所定時間交互に繰り返して出力する、
ことを特徴とするものである。
【００１１】
前記受話音声検出部が音声有りと音声無しの検出信号を交互に繰り返して出力する時間は、前記音声出力部から出力され前記音声入力部に入力されるエコーが発生する時間を考慮して設定されているのが好ましい。
【００１２】
前記送話アッテネータは、受話モードから送話モードに変化する時、送話信号のレベルの減衰量を徐々に減少させ、送話モードから受話モードに変化する時、送話信号のレベルの減衰量を徐々に上昇させ、
前記受話アッテネータは、受話モードから送話モードに変化する時、受話信号のレベルの減衰量を徐々に上昇させ、送話モードから受話モードに変化する時、送話信号のレベルの減衰量を徐々に減少させるのが好ましい。
【００１３】
本発明のハンズフリー通話制御方法は、電話機と接続されるコネクタ部と、音声入力部と、音声出力部と、送話音声検出部と、受話音声検出部と、前記音声入力部とコネクタ部との間に設けられた送話アッテネータと、前記音声出力部とコネクタ部との間に設けられた受話アッテネータとを有し、前記音声入力部から入力された送話信号を前記コネクタ部を介して前記電話機に出力し、前記電話機からコネクタ部を介して入力された受話信号を前記音声出力部から出力するハンズフリー装置によるハンズフリー通話制御方法において、
前記送話音声検出部により前記音声入力部からの送話信号に基づいて送話音声の有無を検出するステップと、
前記受話音声検出部により前記電話機からコネクタ部を介して入力された受話信号に基づいて受話音声の有無を検出するステップと、
前記送話アッテネータにより受話モード時に前記送話信号のレベルを減衰させるステップと、
前記受話アッテネータにより送話モード時に前記受話信号のレベルを減衰させるステップと、
前記送話音声検出部により音声有りと検出され、かつ、受話音声検出部により音声無しと検出された場合、送話モードと判定し、前記受話アッテネータを動作させ、前記送話音声検出部により音声無しと検出され、かつ、受話音声検出部により音声有りと検出された場合、受話モードと判定し、前記送話アッテネータを動作させ、送話音声検出部及び受話音声検出部により共に音声無し又は音声有りと検出された場合、前モードを保持するステップと、
前記受話音声検出部により、音声有りから音声無しへの変化を検出した場合、音声有りと音声無しの検出信号を、所定時間交互に繰り返して出力するステップと、
を有することを特徴とするものである。
【００１４】
前記受話音声検出部が音声有りと音声無しの検出信号を交互に繰り返して出力する時間は、前記音声出力部から出力され前記音声入力部に入力されるエコーが発生する時間を考慮して設定されているのが好ましい。
【００１５】
前記送話アッテネータにより、受話モードから送話モードに変化する時、送話信号のレベルの減衰量を徐々に減少させ、送話モードから受話モードに変化する時、送話信号のレベルの減衰量を徐々に上昇させ、
前記受話アッテネータにより、受話モードから送話モードに変化する時、受話信号のレベルの減衰量を徐々に上昇させ、送話モードから受話モードに変化する時、送話信号のレベルの減衰量を徐々に減少させるのが好ましい。
【００１６】
本発明のプログラムは、電話機と接続されるコネクタ部と、音声入力部と、音声出力部と、送話音声検出部と、受話音声検出部と、前記音声入力部とコネクタ部との間に設けられた送話アッテネータと、前記音声出力部とコネクタ部との間に設けられた受話アッテネータとを有し、前記音声入力部から入力された送話信号を前記コネクタ部を介して前記電話機に出力し、前記電話機からコネクタ部を介して入力された受話信号を前記音声出力部から出力するハンズフリー装置を制御するプログラムにおいて、
前記送話音声検出部により前記音声入力部からの送話信号に基づいて送話音声の有無を検出する処理と、
前記受話音声検出部により前記電話機からコネクタ部を介して入力された受話信号に基づいて受話音声の有無を検出する処理と、
前記送話アッテネータにより受話モード時に前記送話信号のレベルを減衰させる処理と、
前記受話アッテネータにより送話モード時に前記受話信号のレベルを減衰させる処理と、
前記送話音声検出部により音声有りと検出され、かつ、受話音声検出部により音声無しと検出された場合、送話モードと判定し、前記受話アッテネータを動作させ、前記送話音声検出部により音声無しと検出され、かつ、受話音声検出部により音声有りと検出された場合、受話モードと判定し、前記送話アッテネータを動作させ、送話音声検出部及び受話音声検出部により共に音声無し又は音声有りと検出された場合、前モードを保持する処理と、
前記受話音声検出部により、音声有りから音声無しへの変化を検出した場合、音声有りと音声無しの検出信号を、所定時間交互に繰り返して出力する処理と、をコンピュータに実行させることを特徴とするものである。
【００１７】
前記受話音声検出部が音声有りと音声無しの検出信号を交互に繰り返して出力する時間は、前記音声出力部から出力され前記音声入力部に入力されるエコーが発生する時間を考慮して設定されているのが好ましい。
【００１８】
前記送話アッテネータにより、受話モードから送話モードに変化する時、送話信号のレベルの減衰量を徐々に減少させ、送話モードから受話モードに変化する時、送話信号のレベルの減衰量を徐々に上昇させ、
前記受話アッテネータにより、受話モードから送話モードに変化する時、受話信号のレベルの減衰量を徐々に上昇させ、送話モードから受話モードに変化する時、送話信号のレベルの減衰量を徐々に減少させるのが好ましい。
【００１９】
本発明によれば、受話音声検出部が音声有りから音声無しに変化後に、所定時間、音声有りと音声無しの検出信号を交互に繰り返し出力する。そのため、受話音声が音声有りから音声無しに変化したとき、送受話の判定結果が一瞬送話モードに移行するが、受話音声検出結果として一定時間、音声有りと音声無しの検出信号を交互に繰り返し出力するため、本来の動作モードである受話モードに復帰する。
【００２０】
【発明の実施の形態】
以下、本発明の実施の形態について図面を参照して説明する。図１は、本発明の第１の実施形態例に係るハンズフリー装置の構成を示すブロック図である。
【００２１】
図１に示すように、本発明の第１の実施形態例に係るハンズフリー装置Ｆは、携帯電話機１と接続されるコネクタ部２と、音声入力部であるマイク３と、音声出力部であるスピーカ４とを有し、マイク３から入力された送話信号をコネクタ部２を介して携帯電話機１に出力し、携帯電話機１からコネクタ部２を介して入力された受話信号をスピーカ４から出力する。
【００２２】
また、このハンズフリー装置Ｆは、マイク３からの送話信号に基づいて送話音声の有無を検出する送話音声検出部５と、携帯電話機１からコネクタ部２を介して入力された受話信号に基づいて受話音声の有無を検出する受話音声検出部６と、マイク３とコネクタ部２との間に設けられ、受話モード時に送話信号のレベルを減衰させる送話アッテネータ７と、スピーカ４とコネクタ部２との間に設けられ、送話モード時に受話信号のレベルを減衰させる受話アッテネータ８と、送話音声検出部５及び受話音声検出部６からの検出信号に基づいて、送話アッテネータ７及び受話アッテネータ８の動作を制御する制御部９とを有する。
【００２３】
次に、本発明の第１の実施形態例に係るハンズフリー装置Ｆの動作を説明する。
【００２４】
まず、ハンズフリー制御について説明する。携帯電話機１で発着信が行われるとハンズフリー通話に移行する。ハンズフリー通話では、ハウリングを回避するためにボイススイッチ処理を行う。ボイススイッチ処理は、マイク３より入力された送話信号に対して送話音声検出部５で送話音声有無の検出処理を行い、受信信号に対して受話音声検出部６で受話音声有無の検出処理を行う。送受話の音声有無の検出結果をもとに、制御部９で送受話モードの判定処理を行い、送話アッテネータ７と受話アッテネータ８の制御を行う。
【００２５】
次に、音声検出処理について図３を用いて説明する。図３は、本発明の第１の実施形態例に係るハンズフリー装置Ｆの動作を説明するための信号の波形図で有り、（Ａ）は受話信号、（Ｂ）は送話信号、（Ｃ）は受話音声検出信号、（Ｄ）は送話音声検出信号、（Ｅ）は送受話モードの判定による制御信号を示す。
【００２６】
通話を開始するとハンズフリー通話に移行する。ハンズフリー通話では、マイク３より入力された音声が送話信号として入力され（Ａ１）、通話相手の音声は受話信号として入力される（Ａ２，Ａ３）。
【００２７】
また、スピーカ４より出力した受話信号がエコー信号としてエコー時間分遅れ、レベルが若干減衰してマイク３より入力される（Ａ４，Ａ５）。受話音声検出部６では、受話信号に対して音声有無の検出処理を行い、入力信号が音声信号（Ａ２、Ａ３）の時には音声有りと検出する（Ａ６、Ａ８）。また、受話音声検出部６による検出結果が音声有りから音声無しに変化した後に、エコーによる誤検出を回避するために、一定時間、受話音声検出結果として、音声有りと音声無しの検出信号を、所定時間交互に繰り返して出力する（Ａ７、Ａ９）。例えば、車内でハンズフリー通話を行ったときには、車内でのエコー時間を考慮して約４０ｍｓの間、音声有りと音声無しの検出信号を繰り返し出力する。なお、音声有りと音声無しの検出信号を繰り返し出力する時間は、使用する環境などに応じて適宜設定変更できるように構成するのが好ましい。
【００２８】
送話音声検出部５では入力された送話信号に対して音声有無の検出処理を行い、入力信号が音声信号（Ａ１）の時には音声有りと検出する（Ａ１０）。また、スピーカ４より出力した受話信号のエコー信号（Ａ４、Ａ５）についても、送話音声検出部５で音声有りと検出される（Ａ１１、Ａ１２）。
【００２９】
次に、制御部９での送受話モードの判定処理について説明する。制御部９では送話音声検出部５での音声検出結果と受話音声検出部６での音声検出結果の検出信号に基づいて、送受話モードの判定処理を行う。送話音声検出結果が音声有りの時で受話音声検出結果が音声無しの時には送話モードと判定し、送話音声検出結果が音声無しの時で受話音声検出結果が音声有りの時には受話モードと判定する。送受話の音声検出結果が共に音声有りの時と、音声検出結果が共に音声無しの時には、前状態を保持する。
【００３０】
最後に、送受話のアッテネータ制御について説明する。送受話のアッテネータ制御では、ハンズフリー通話によるハウリングを回避するため、送話アッテネータ７、又は受話アッテネータ８でレベルの減衰を行う。また、エコーが送話側で聞こえるのを防止するために、アッテネータの減衰量は急激に変化させずに徐々に変化させる。
【００３１】
図２は、送受話のアッテネータの制御を説明するためのグラフである。図２に示すように、制御部９で受話モードと判定した時には、受話アッテネータ８では受話信号の減衰は行わず、送話アッテネータ７で送話信号のレベルを減衰させる。制御部９で送受話モード判定結果が受話モードから送話モードに切り替わったときには、受話モードから送話モードに移行するために受話アッテネータ８で受話信号のレベルの減衰量を徐々に上昇させ、逆に送話アッテネータ７で送話信号のレベルの減衰量を徐々に減少させていき、送話モードに移行する。
【００３２】
送話モードでは、送話アッテネータ７で送話信号の減衰は行わず、受話アッテネータ８で受話信号のレベルを減衰させる。制御部９で送受話モードの判定結果が、送話モードから受話モードに切り替わったときには、送話モードから受話モードに移行するために、送話アッテネータ７で送話信号のレベルの減衰量を徐々に上昇させ、逆に受話アッテネータ８で受話信号のレベルの減衰量を徐々に減少させていき、受話モードに移行する。また、送受話モード切り替わり時間については、例えば車内でのエコー時間を考慮する場合には約４０ｍｓとする。
【００３３】
本発明の第１の実施形態例によれば、受話音声検出部６が音声有りから音声無しに変化後に、所定時間、音声有りと音声無しの検出信号を交互に繰り返し出力する。そのため、受話音声が音声有りから音声無しに変化したとき、送受話の判定結果が一瞬送話モードに移行するが、受話音声検出結果として一定時間、音声有りと音声無しの検出信号を交互に繰り返し出力するため、本来の動作モードである受話モードに復帰する（Ａ１３）。その結果、エコーの影響により受話音声を発声後に送話モードに移行せずに受話モードを保持することにより、受話音声の頭切れを回避できる。
【００３４】
図４は本発明の第２の実施形態例を示すブロック図である。図４に示すように、本発明の第２の実施の形態は、上記説明されたハンズフリー装置Ｆを制御するプログラム１０に関する。このプログラム１０は、ＦＤ等の磁気ディスク、ＣＤ−ＲＯＭ等の光ディスク、半導体メモリ等のような記録媒体に記録されていてもよく、通信ネットワークを介してダウンロードされるものでもよい。
【００３５】
本発明は、上記実施の形態に限定されることはなく、特許請求の範囲に記載された技術的事項の範囲内において、種々の変更が可能である。
【００３６】
【発明の効果】
本発明によれば、受話音声検出部が音声有りから音声無しに変化後に、所定時間、音声有りと音声無しの検出信号を交互に繰り返し出力する。そのため、受話音声が音声有りから音声無しに変化したとき、送受話の判定結果が一瞬送話モードに移行するが、受話音声検出結果として一定時間、音声有りと音声無しの検出信号を交互に繰り返し出力するため、本来の動作モードである受話モードに復帰する。その結果、エコーの影響により受話音声を発声後に送話モードに移行せずに受話モードを保持することにより、受話音声の頭切れを回避できる。
【図面の簡単な説明】
【図１】本発明の第１の実施形態例に係るハンズフリー装置の構成を示すブロック図である。
【図２】送話アッテネータ及び受話アッテネータの制御を説明するためのグラフである。
【図３】本発明の第１の実施形態例に係るハンズフリー装置の動作を説明するための信号の波形図で有り、（Ａ）は受話信号、（Ｂ）は送話信号、（Ｃ）は受話音声検出信号、（Ｄ）は送話音声検出信号、（Ｅ）は送受話モードの判定による制御信号を示す。
【図４】本発明の第２の実施形態例を示すブロック図である。
【図５】従来のハンズフリー装置の動作を説明するための信号の波形図で有り、（Ａ）は受話信号、（Ｂ）は送話信号、（Ｃ）は受話音声検出信号、（Ｄ）は送話音声検出信号、（Ｅ）は送受話モードの判定による制御信号を示す。
【符号の説明】
１：携帯電話機
２：コネクタ部
３：マイク
４：スピーカ
５：送話音声検出部
６：受話音声検出部
７：送話アッテネータ
８：受話アッテネータ
９：制御部
１０：プログラム
【図１】
2004088369.tif 000003
【図２】
2004088369.tif 000004
【図３】
2004088369.tif 000005
【図４】
2004088369.tif 000006
【図５】
2004088369.tif 000007